(57)【要約】【課題】本発明は、極めて商品価値の高い画期的なポップ支持具を提供することを目的とする。【解決手段】値札や広告札などの板状のポップ１を挟持する挟持部２を具備してポップ１を支持するポップ支持具であって、前記挟持部２は、ポップ１の一方の面に当接する第一挟持半体３と、ポップ１の他方の面に当接する第二挟持半体４とで構成され、この第一挟持半体３と第二挟持半体４とは付勢機構５を介して挟持方向に付勢されており、この第一挟持半体３と第二挟持半体４とでポップ１を挟持した際、ポップ１の一方の面を押圧する前記第一挟持半体３の押圧位置と、ポップ１の他方の面を押圧する前記第二挟持半体４の押圧位置とがずれた対向位置関係となるように設定することで、第一挟持半体３若しくは第二挟持半体４のいずれか一方の側へポップ１を倒動せしめる倒動作用を付与し得るように構成するとともに、このポップ１の倒動を阻止することでポップ１を略垂直状に保持するように構成したものである。【選択図】        図１
2004212513.tif 000002
【特許請求の範囲】
【請求項１】
値札や広告札などの板状のポップを挟持する挟持部を具備してポップを支持するポップ支持具であって、前記挟持部は、ポップの一方の面に当接する第一挟持半体と、ポップの他方の面に当接する第二挟持半体とで構成され、この第一挟持半体と第二挟持半体とは付勢機構を介して挟持方向に付勢されており、この第一挟持半体と第二挟持半体とでポップを挟持した際、ポップの一方の面を押圧する前記第一挟持半体の押圧位置と、ポップの他方の面を押圧する前記第二挟持半体の押圧位置とがずれた対向位置関係となるように設定することで、第一挟持半体若しくは第二挟持半体のいずれか一方の側へポップを倒動せしめる倒動作用を付与し得るように構成するとともに、このポップの倒動を阻止することでポップを略垂直状に保持するように構成したことを特徴とするポップ支持具。
【請求項２】
前記第一挟持半体と第二挟持半体とでポップを挟持した際、前記ポップに当接する当接部を第一挟持半体，第二挟持半体の少なくとも一方の内面部に設けて、ポップの倒動を阻止することでポップを略垂直状に保持するように構成したことを特徴とする請求項１記載のポップ支持具。
【請求項３】
前記第一挟持半体と第二挟持半体とで挟持したポップの下端部を載置し得る載置部を第一挟持半体，第二挟持半体の少なくとも一方に設け、この載置部は略水平状の平坦部であることを特徴とする請求項１，２のいずれか１項に記載のポップ支持具。
【発明の詳細な説明】
【０００１】
【発明の属する技術分野】
本発明は、ポップ支持具に関するものである。
【０００２】
【従来の技術及び発明が解決しようとする課題】
従来から、値札や広告札などの板状の表示体、所謂ポップを設置するためのポップ支持具（以下、従来例）が提案されている。
【０００３】
この従来例は、立設可能に設けた支柱の上部にポップを挟持する挟持部を設けたものであり、この挟持部は、一対の挟持半体同士を挟持開閉自在に枢着し、この挟持半体同士をバネを介して挟持方向に付勢されるように構成されている。
【０００４】
ところが、この従来例は、挟持部が単なる面と面とを垂直状態で合わせることで挟み込む挟持構造の為、この挟持部に異なる厚さのポップを挟持させた際、このポップの厚みの変化に対応できず、挟持した部位から下方の部位がぐらついてポップが傾いてしまう場合があり、非常に体裁が悪いとされる。仮に挟持部に具備せしめられるバネとして付勢力の強いバネを採用すれば、このポップの傾きに対応できるとも考えられるが、これに伴う構造の複雑化やコスト面等を考慮すると現実的ではない。
【０００５】
本出願人は、前述した問題点に着目し、種々の実験・研究を重ねた結果、簡易構造でありながらポップの傾きを確実に防止し得る極めて商品価値の高い画期的なポップ支持具を開発した。
【０００６】
【課題を解決するための手段】
添付図面を参照して本発明の要旨を説明する。
【０００７】
値札や広告札などの板状のポップ１を挟持する挟持部２を具備してポップ１を支持するポップ支持具であって、前記挟持部２は、ポップ１の一方の面に当接する第一挟持半体３と、ポップ１の他方の面に当接する第二挟持半体４とで構成され、この第一挟持半体３と第二挟持半体４とは付勢機構５を介して挟持方向に付勢されており、この第一挟持半体３と第二挟持半体４とでポップ１を挟持した際、ポップ１の一方の面を押圧する前記第一挟持半体３の押圧位置と、ポップ１の他方の面を押圧する前記第二挟持半体４の押圧位置とがずれた対向位置関係となるように設定することで、第一挟持半体３若しくは第二挟持半体４のいずれか一方の側へポップ１を倒動せしめる倒動作用を付与し得るように構成するとともに、このポップ１の倒動を阻止することでポップ１を略垂直状に保持するように構成したことを特徴とするポップ支持具に係るものである。
【０００８】
また、前記第一挟持半体３と第二挟持半体４とでポップ１を挟持した際、前記ポップ１に当接する当接部６を第一挟持半体３，第二挟持半体４の少なくとも一方の内面部に設けて、ポップ１の倒動を阻止することでポップ１を略垂直状に保持するように構成したことを特徴とする請求項１記載のポップ支持具に係るものである。
【０００９】
また、前記第一挟持半体３と第二挟持半体４とで挟持したポップ１の下端部を載置し得る載置部７を第一挟持半体３，第二挟持半体４の少なくとも一方に設け、この載置部７は略水平状の平坦部であることを特徴とする請求項１，２のいずれか１項に記載のポップ支持具に係るものである。
【００１０】
【発明の実施の形態】
好適と考える本発明の実施の形態（発明をどのように実施するか）を、図面に基づいてその作用効果を示して簡単に説明する。
【００１１】
本発明は、挟持部２を構成する第一挟持半体３と第二挟持半体４とでポップ１を挟持し、種々提案されるポップ１の厚みに確実に対応して常にポップ１を略垂直状に保持することができる。
【００１２】
即ち、本発明は、ポップ１の一方の面を押圧する前記第一挟持半体３の押圧位置と、ポップ１の他方の面を押圧する前記第二挟持半体４の押圧位置とがずれた対向位置関係となるように設定することで、第一挟持半体３若しくは第二挟持半体４のいずれか一方の側へポップ１を倒動せしめる倒動作用を付与し得るように構成するとともに、このポップ１の倒動を阻止することでポップ１を略垂直状に保持するように構成している。
【００１３】
つまり、敢えてポップ１に対して倒動作用を付与し、且つ、この意図的に与えられる倒動作用を阻止することで確実且つ堅固にポップ１を略垂直状に保持することができることになる。
【００１４】
従って、ポップ１の厚みが変わったとしても確実にポップ１を略垂直状に保持することができ、しかも、ポップ１が傾こうとする力を利用して保持する構造であるから、付勢機構として強い付勢力を発揮する付勢機構を採用しなくても確実且つ堅固に略垂直状にポップ１を挟持保持することができ、そして、この構造が簡易構造故にコスト安に実現できることになる。
【００１５】
【実施例】
本発明の具体的な実施例について図面に基づいて説明する。
【００１６】
本実施例は、値札や広告札などの板状のポップ１を挟持する挟持部２を支持体８の上部に設け、ポップ１を所定高さ位置に支持するものである。尚、本実施例では、支持体８として、ベースプレート８ａと、該ベースプレート８ａの中央位置に立設される伸縮式のポール８ｂとから成る支持体８を採用しているが、この構造に限られないのは勿論である。
【００１７】
挟持部２は、ポップ１の一方の面１ａに当接する第一挟持半体３と、ポップ１の他方の面１ｂに当接する第二挟持半体４とで構成され、夫々適宜な合成樹脂製の部材を一体成形したものであり、互いに基端部同士を枢着して開閉自在となるように構成されている。
【００１８】
この第一挟持半体３は、ポップ１の一方の面１ａ側に配される内面３ａが垂直面となる状態に設けられ、一方、第二挟持半体４は、ポップ１の他方の面１ｂ側に配される内面４ａが前記第一挟持半体３に係る内面３ａに対して傾斜する傾斜面となる状態に設けられており、第一挟持半体３に対して第二挟持半体４が円弧方向（図３中矢印ａ方向）に回動して開閉するように構成されている。
【００１９】
また、第一挟持半体３と第二挟持半体４とは基端部左右位置に嵌設される金属製のＣ字状の板バネ５を介して挟持方向に付勢されており、ポップ１を所定の圧力で押圧挟持し得るように構成されている。
【００２０】
また、挟持部２は、この第一挟持半体３と第二挟持半体４とでポップ１を挟持した際、第二挟持半体４の側へポップ１を倒動せしめる倒動作用を付与し得るように構成されている。
【００２１】
具体的には、ポップ１の一方の面１ａを押圧する第一挟持半体３の押圧位置（押圧ポイントＰ１）と、ポップ１の他方の面１ｂを押圧する第二挟持半体４の押圧位置（押圧ポイントＰ２）とがずれた対向位置関係となるように設定している。
【００２２】
更に具体的に説明すると、第一挟持半体３に係る内面３ａの左右位置に一対の第一押圧突部９を設けると共に、第二挟持半体４に係る内面４ａの左右位置に一対の第二押圧突部１０を設け、この第一押圧突部９の先端面９ａは垂直状に形成され、第二押圧突部１０の先端面１０ａは傾斜状に形成されており、この傾斜状に形成された第二押圧突部１０の先端面１０ａは、垂直状に形成された第一押圧突部９の先端面９ａと当接する位置から近接する位置（約１ｍｍ離れた位置）までの間において、略平行状態にして略垂直状態となるように構成されている。
【００２３】
つまり、図３に図示したように約１ｍｍの厚さまでのポップに対しては、該ポップ１の一方の面１ａを押圧する第一挟持半体３の押圧位置（押圧ポイントＰ１）と、ポップ１の他方の面１ｂを押圧する第二挟持半体４の押圧位置（押圧ポイントＰ２）とが一致した対向位置関係となり、図４に図示したように約１ｍｍよりも厚いポップ１を挟持すると、第一挟持半体３における押圧位置（押圧ポイントＰ１）よりも第二挟持半体４における押圧位置（押圧ポイントＰ２）が下がり、ずれた対向位置関係となり、よって、第二挟持半体４の側（図４中矢印ｂ方向）へポップ１を倒動せしめる倒動作用がポップ１に付与されることになる。
【００２４】
また、第一押圧突部９及び第二押圧突部１０は、夫々適度な柔軟性を有する合成樹脂製の部材で構成されており、ポップ１を柔軟に押圧してポップ１の抜け方向への抵抗となり抜け止め機能も発揮されることになる。
【００２５】
また、挟持部２は、ポップ１を挟持することでポップ１に倒動作用が付与された際、ポップ１に当接する当接部６を第一挟持半体３の内面部に設けており、具体的には、第一挟持半体３の垂直状の内面３ａにポップ１の下方部位が当接することになり、このポップ１の倒動を阻止することでポップ１を略垂直状に保持するように構成されている。尚、ポップ１の倒動を阻止する当接部６としては、この他にも例えば第一挟持半体３の内面３ａに突起を設けたり、第二挟持半体４の上端部に突起を設けたりするなど、本実施例の特性を発揮する構成であれば適宜採用するものである。
【００２６】
また、挟持部２は、第一挟持半体３の内面底部に複数のリブ１１が形成されており、このリブ１１の上部は略水平状の平坦部が形成されており、挟持部２で挟持したポップ１の下端部を載置し得る載置部７として構成されている。
【００２７】
符号３ｂは第一挟持半体３に設けられるポール８ｂへの連結部、４ｂは第二挟持半体４に設けられる開放用摘みである。
【００２８】
本実施例は上述のように構成したから、挟持部２を構成する第一挟持半体３と第二挟持半体４とでポップ１を挟持し、種々提案されるポップ１の厚みに確実に対応して常にポップ１を略垂直状に保持することができる。
【００２９】
即ち、本実施例は、ポップ１の一方の面１ａを押圧する第一挟持半体３（第一押圧突部９）の押圧位置（押圧ポイントＰ１）と、ポップ１の他方の面１ｂを押圧する第二挟持半体４（第二押圧突部１０）の押圧位置（押圧ポイントＰ２）とがずれた対向位置関係となるように設定することで、第二挟持半体４の側へポップ１を倒動せしめる倒動作用を付与し得るように構成するとともに、このポップ１の下方部位に第一挟持半体３の内面３ａに設けた当接部６が当接することで、ポップ１の倒動を阻止してポップ１を略垂直状に保持する。
【００３０】
つまり、敢えてポップ１に対して倒動作用を付与し、且つ、この意図的に与えられる倒動作用を阻止することで確実且つ堅固にポップ１を略垂直状に保持することができることになる。
【００３１】
よって、本実施例によれば、ポップ１の厚みが変わったとしても確実にポップ１を略垂直状に保持することができ、しかも、ポップ１が傾こうとする力を利用して保持する構造であるから、付勢機構５として強い付勢力を発揮する付勢機構を採用しなくても確実且つ堅固に略垂直状にポップ１を挟持保持することができ、そして、この構造が簡易構造故にコスト安に実現できることになる。
【００３２】
尚、本発明は、本実施例に限られるものではなく、各構成要件の具体的構成は適宜設計し得るものである。
【００３３】
【発明の効果】
本発明は上述のように構成したから、種々提案されるポップの厚みに対応して確実且つ堅固にポップを略垂直状に保持することができるなど極めて商品価値の高い画期的なポップ支持具となる。
【００３４】
また、請求項２記載の発明においては、確実にポップの倒動を阻止することができることになるなど極めて商品価値の高い画期的なポップ支持具となる。
【００３５】
また、請求項３記載の発明においては、略垂直状に挟持保持されたポップをより一層安定した状態とすることができるなど極めて商品価値の高い画期的なポップ支持具となる。
【図面の簡単な説明】
【図１】本実施例を示す斜視図である。
【図２】本実施例に係る要部を示す斜視図である。
【図３】本実施例に係る要部の動作説明図である。
【図４】本実施例に係る要部の動作説明図である。
【符号の説明】
１  ポップ
２  挟持部
３  第一挟持半体
４  第二挟持半体
５  付勢機構
６  当接部
７  載置部
【図１】
2004212513.tif 000003
【図２】
2004212513.tif 000004
【図３】
2004212513.tif 000005
【図４】
2004212513.tif 000006